(57)【要約】【課題】景観性や視認性を向上させることができるとともに、その景観性や視認性を長期に亘り維持することができる地下構造物用蓋を提供すること。【解決手段】蓋本体２００とこの蓋本体２００を開閉可能に支持する受枠とを備えた地下構造物用蓋において、蓋本体２００を、周囲に縁部２１１を有し、この縁部２１１に囲まれた部分を窪部２１２とした鋳鉄製のフレーム２１０と、フレーム２１０の窪部２１２に装着可能な樹脂製のベースプレート２２０とから構成し、ベースプレート２２０を、フレーム２１０の窪部２１２に嵌め込んで一体に固定した。【選択図】図２
2010084407.tif 000002
【特許請求の範囲】
【請求項１】
蓋本体とこの蓋本体を開閉可能に支持する受枠とを備えた地下構造物用蓋において、
前記蓋本体は、周囲に縁部を有し、この縁部に囲まれた部分を窪部とした鋳鉄製のフレームと、前記フレームの窪部に装着可能な樹脂製のベースプレートとを備え、
前記ベースプレートは、前記フレームの窪部に嵌め込まれて一体に固定されたことを特徴とする地下構造物用蓋。
【請求項２】
前記ベースプレートに、情報表示プレート、ＩＣタグ等の情報伝達媒体が取り付けられた請求項１に記載の地下構造物用蓋。
【請求項３】
前記ベースプレートの外周に、前記フレームの縁部内径よりわずかに径大となる突起部が全周にわたり形成された請求項１または請求項２に記載の地下構造物用蓋。
【発明の詳細な説明】
【技術分野】
【０００１】
本発明は、蓋本体とこの蓋本体を開閉可能に支持する受枠とを備えた地下構造物用蓋に関する。
【０００２】
なお、本願明細書でいう「地下構造物用蓋」とは、下水道における地下埋設物，地下構造施設等と地上とを通じる開口部を閉塞するマンホール蓋，大型鉄蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【背景技術】
【０００３】
従来より、地下構造物用蓋においては、鋳鉄製の蓋本体の凹部に、エポキシ樹脂等からなる着色樹脂を充填することにより、色彩豊かなデザインとして路上の景観性を向上させたり、地下に埋設された施設や装置の表示をして維持管理の利便性や視認性を向上させることが行われている。
【０００４】
このような地下構造物用蓋としては、特許文献１に記載の地下構造物用カラー鉄蓋がある。これは、鉄蓋本体の表面に凸部と凹部とで模様を形成し、凹部に着色樹脂を充填したものである。
【特許文献１】特開２００５−２９９１５４号公報
【発明の開示】
【発明が解決しようとする課題】
【０００５】
しかしながら、このように鋳鉄製の蓋本体の凹部に着色樹脂を充填すると、着色樹脂が凝固する際の収縮によって、当初から蓋本体と着色樹脂との間に隙間を生じることがあり、隙間がない場合であっても内部応力が残存しているところに、車両の通過等による繰り返し荷重が加わることによって剥離が生じてしまい、景観性や視認性が悪化するという問題があった。
【０００６】
また、景観性や視認性を再度向上させるためには、蓋本体自体を交換する必要があるため、維持管理者のコスト負担も大きくなるという問題があった。
【０００７】
本発明は、上記の問題点に鑑みてなされたもので、その課題は、景観性や視認性を向上させることができるとともに、その景観性や視認性を長期に亘り維持することができる地下構造物用蓋を提供することにある。
【課題を解決するための手段】
【０００８】
本発明は、蓋本体とこの蓋本体を開閉可能に支持する受枠とを備えた地下構造物用蓋において、前記蓋本体は、周囲に縁部を有し、この縁部に囲まれた部分を窪部とした鋳鉄製のフレームと、前記フレームの窪部に装着可能な樹脂製のベースプレートとを備え、前記ベースプレートは、前記フレームの窪部に嵌め込まれて一体に固定されたことを特徴とするものである。
【０００９】
本発明においては、樹脂製のベースプレートにデザインや表示を入れることにより、景観性や視認性を向上させることができる。そして、この樹脂製のベースプレートを鋳鉄製のフレームの窪部に嵌め込んで一体化することによって、フレームとベースプレートを隙間なく一体化でき、しかも過剰な内部応力が残存することもないので、車両の通過等による繰り返し荷重が加わってもベースプレートが容易に外れることはない。したがって、ベースプレートによる景観性や視認性を長期に亘り維持することができる。さらに、デザインや表示の変更時には、ベースプレートのみを取り外して交換することができるため経済的である。加えて、蓋本体の大部分を占めるベースプレートが樹脂製であるため、軽量化を図ることができる。
【００１０】
また、本発明においては、ベースプレートに、情報表示プレート、ＩＣタグ等の情報伝達媒体を取り付けることができる。これによって、景観性や視認性の向上に加えて、維持管理作業の利便性を向上させることができ、ベースプレートを多機能に活用することができる。
【００１１】
さらに、本発明においては、ベースプレートの外周に、前記フレームの縁部内径よりわずかに径大となる突起部を全周にわたり形成することが好ましい。このような構成とすることで、ベースプレートの外周の突起部がフレームの縁部の内周面に確実に当接するので、フレームとベースプレートとの間から雨水や土砂が浸入することをより確実に防止することができる。したがって、ベースプレートにＩＣタグ等の電子部品を取り付けた場合でも性能を維持することができる。また、鋳鉄製のフレーム自体の劣化も防止することができる。さらに、樹脂製のベースプレートと鋳鉄製のフレームの間に寸法誤差がある場合でも、ベースプレートの突起部がフレームの縁部の内周面に当接することにより、両者を確実に嵌め合わせて一体化させることができる。
【発明の効果】
【００１２】
本発明によれば、地下構造物用蓋の景観性や視認性を向上させることができるとともに、その景観性や視認性を長期に亘り維持することができる。
【発明を実施するための最良の形態】
【００１３】
以下、図面に示す実施例に基づき本発明の実施の形態を説明する。
【００１４】
図１は、本発明の地下構造物用蓋の一実施例を示し、（ａ）は平面図、（ｂ）は（ａ）のＡ−Ａ断面図である。
【００１５】
図１に示す地下構造物用蓋１００は仕切弁蓋であり、蓋本体２００と、この蓋本体２００を蝶番機構３００を介して開閉可能に支持する受枠４００とを備えて構成されている。
【００１６】
図２は、蓋本体２００の構成を示す分解斜視図である。蓋本体２００は、周囲に縁部２１１を有し、この縁部２１１に囲まれた部分を窪部２１２として略盆形状に形成した鋳鉄製のフレーム２１０と、このフレーム２１０の窪部２１２に装着可能な樹脂製のベースプレート２２０とを備え、ベースプレート２２０はフレーム２１０の窪部２１２に嵌め込まれて一体に固定される。
【００１７】
ベースプレート２２０は、耐摩耗性、耐衝撃性および耐圧縮強度を有するポリカーボネート等の熱可塑性樹脂製で、射出成形等によって成形され、その表面には、スリップ防止およびデザインとして複数の凸部２２１が設けられている。また、ベースプレート２２０の表面には、弁栓類の種類、口径、流体の種類、流れ方向、管理番号等の情報を表示する各種の情報表示プレート２３０が情報伝達媒体として取り付けられる。さらに、ベースプレート２２０の裏面には、無線で位置情報やメンテナンス情報等の読み取りおよび書き込みが可能なＩＣタグ２４０が情報伝達媒体として取り付けられる。
【００１８】
ＩＣタグ２４０は、具体的には、図３に示すベースプレート２２０の裏面に円形リブによって形成した凹部２２２に挿入され、その下側から図２に示す弾性を有する樹脂発泡体からなる固定部材２５０を嵌め込むことで、図４に示すように、固定部材２５０の上面に載置された状態で凹部２２２内の所定の高さ位置に配置される。そして、ＩＣタグ２４０の装着位置がベースプレート２２０の表面側からわかるように、ベースプレート２２０の表面には、ＩＣタグ２４０の装着位置に対応する位置に図２に示すＩＣタグ位置表示マーク２２３が設けられている。
【００１９】
実施例ではＩＣタグ２４０として、通信距離が数１０ｃｍ、通信周波数が１３．５６ＭＨｚの電磁誘導方式のパッシブタグを使用した。この場合、固定部材２５０の材質は、電磁波の乱れを防止する点からは、樹脂等の非磁性材料とすることが好ましい。
【００２０】
図５は、図１（ａ）のＢ−Ｂ断面による蓋本体２００の要部の拡大断面図である。同図に示すように、ベースプレート２２０の外周には、フレーム２１０の縁部２１１内径よりわずかに径大となる四分割円状の突起部２２４が全周にわたり形成されており、この突起部２２４がフレーム２１０の縁部２１１内周面に確実に当接することで、ベースプレート２２０がフレーム２１０に確実に嵌め合わされて一体化される。また、ベースプレート２２０とフレーム２１０との一体化をより確実にするため、フレーム２１０の裏面側からタッピングねじ２６０を装着し、ベースプレート２２０とフレーム２１０とを締結するようにしている。なお、タッピングねじ２６０を取り外せば、ベースプレート２２０をフレーム２１０から取り外せるようになり、ベースプレート２２０のみの交換が可能となる。
【００２１】
ここで、突起部２２４の縦断面形状は、ベースプレート２２０を押し込んだときにフレーム２１０の縁部２１１内周面に当接しながらスムーズに嵌り込むように、四分割円状や半円状等の曲面状とすることが好ましい。また、突起部２２４を設ける位置は、雨水や土砂の流入を防止するため、ベースプレート２２０外周面の上部側が好ましい。
【００２２】
以上のとおり、本発明においては、樹脂製のベースプレート２２０を鋳鉄製のフレーム２１０の窪部２１２に嵌め込んで一体化することによって、フレーム２１０とベースプレート２２０を隙間なく一体化できる。したがって、ベースプレート２２０による景観性や視認性を長期に亘り維持することができる。
【００２３】
なお、実施例では、本発明を仕切弁蓋に適用したが、マンホール蓋や消火栓蓋などのその他の地下構造物用蓋にも適用可能である。
【図面の簡単な説明】
【００２４】
【図１】本発明の地下構造物用蓋の一実施例を示し、（ａ）は平面図、（ｂ）は（ａ）のＡ−Ａ断面図である。
【図２】図１に示す地下構造物用蓋の蓋本体の構成を示す分解斜視図である。
【図３】図１に示す地下構造物用蓋の蓋本体を構成するベースプレートの裏面図である。
【図４】ＩＣタグの装着状態を示す要部の断面図である。
【図５】図１（ａ）のＢ−Ｂ断面による蓋本体の要部の拡大断面図である。
【符号の説明】
【００２５】
１００  地下構造物用蓋
２００  蓋本体
２１０  フレーム
２１１  縁部
２１２  窪部
２２０  ベースプレート
２２１  凸部
２２２  凹部
２２３  ＩＣタグ位置表示マーク
２２４  突起部
２３０  情報表示プレート
２４０  ＩＣタグ
２５０  固定部材
２６０  タッピングねじ
３００  蝶番機構
４００  受枠
【図１】
2010084407.tif 000003
【図２】
2010084407.tif 000004
【図３】
2010084407.tif 000005
【図４】
2010084407.tif 000006
【図５】
2010084407.tif 000007